【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
エラーを検出する検出手段と、
音声出力を可能な音声装置を有する音声出力手段と、
前記音声出力の最大強度を所定の範囲内で設定可能な強度設定手段と、を備え、
音声出力の強度とは、前記音声装置から出力される音声の音量であり、
前記音声出力手段は、
前記検出手段によりエラーが検出されたことを契機として音声出力によるエラーの報知を開始した場合であって、該エラーの報知の開始後においてエラーが検出されなくなったときには、報知継続時間に亘ってエラーの報知を継続した後にエラーの報知を終了するようになっており、
前記エラーの報知に際しては、前記強度設定手段により設定された強度以上の強度で行うことを特徴とする遊技機。
【請求項２】
エラーを検出する検出手段と、
音声出力を可能な音声装置を有する音声出力手段と、を備え、
音声出力の強度とは、前記音声装置から出力される音声の音量であり、
前記音声出力手段は、
前記検出手段によりエラーが検出されたことを契機として音声出力によるエラーの報知を開始した場合であって、該エラーの報知の開始後においてエラーが検出されなくなったときには、報知継続時間に亘ってエラーの報知を継続した後にエラーの報知を終了するようになっており、
第１強度を上限として音声出力による演出を行う一方で、音声出力によるエラーの報知を前記第１強度以上である第２強度で行うことを特徴とする遊技機。
【請求項３】
エラーを検出する検出手段と、
発光が可能な発光装置を有する発光手段と、
前記発光の最大強度を所定の範囲内で設定可能な強度設定手段と、を備え、
発光の強度とは、前記発光装置が発光する際の光量であり、
前記発光手段は、
前記検出手段によりエラーが検出されたことを契機として発光によるエラーの報知を開始した場合であって、該エラーの報知の開始後においてエラーが検出されなくなったときには、報知継続時間に亘ってエラーの報知を継続した後にエラーの報知を終了するようになっており、
前記エラーの報知に際しては、前記強度設定手段により設定された強度以上の強度で行うことを特徴とする遊技機。
【請求項４】
エラーを検出する検出手段と、
発光が可能な発光装置を有する発光手段と、を備え、
発光の強度とは、前記発光装置が発光する際の光量であり、
前記発光手段は、
前記検出手段によりエラーが検出されたことを契機として発光によるエラーの報知を開始した場合であって、該エラーの報知の開始後においてエラーが検出されなくなったときには、報知継続時間に亘ってエラーの報知を継続した後にエラーの報知を終了するようになっており、
第１強度を上限として発光による演出を行う一方で、発光によるエラーの報知を前記第１強度以上である第２強度で行うことを特徴とする遊技機。
【請求項５】
前記演出における最大強度を所定の範囲内で設定可能な強度設定手段を備えた請求項２又は請求項４に記載の遊技機。
【請求項６】
前記エラーの報知は、前記強度設定手段により設定可能な上限強度以上の強度で行われる請求項１、請求項３、及び請求項５のうち何れか一項に記載の遊技機。
【請求項７】
エラーの報知が可能な報知手段をさらに備え、
前記報知手段は、前記検出手段によりエラーが検出されたことを契機としてエラーの報知を開始するようになっているとともに、該エラーの報知の開始後においてエラーが検出されなくなった場合であって、前記報知継続時間よりも長い時間に設定された最低報知時間が経過していないときには、前記報知継続時間が経過した後であっても、前記最低報知時間が経過するまでエラーの報知を継続する請求項１〜請求項６のうち何れか１項に記載の遊技機。
【手続補正２】
【補正対象書類名】明細書
【補正対象項目名】０００７
【補正方法】変更
【補正の内容】
【０００７】
上記課題を解決するための遊技機は、エラーを検出する検出手段と、音声出力を可能な音声装置を有する音声出力手段と、前記音声出力の最大強度を所定の範囲内で設定可能な強度設定手段と、を備え、音声出力の強度とは、前記音声装置から出力される音声の音量であり、前記音声出力手段は、前記検出手段によりエラーが検出されたことを契機として音声出力によるエラーの報知を開始した場合であって、該エラーの報知の開始後においてエラーが検出されなくなったときには、報知継続時間に亘ってエラーの報知を継続した後にエラーの報知を終了するようになっており、前記エラーの報知に際しては、前記強度設定手段により設定された強度以上の強度で行うことを要旨とする。
【手続補正３】
【補正対象書類名】明細書
【補正対象項目名】０００８
【補正方法】変更
【補正の内容】
【０００８】
上記課題を解決するための遊技機は、エラーを検出する検出手段と、音声出力を可能な音声装置を有する音声出力手段と、を備え、音声出力の強度とは、前記音声装置から出力される音声の音量であり、前記音声出力手段は、前記検出手段によりエラーが検出されたことを契機として音声出力によるエラーの報知を開始した場合であって、該エラーの報知の開始後においてエラーが検出されなくなったときには、報知継続時間に亘ってエラーの報知を継続した後にエラーの報知を終了するようになっており、第１強度を上限として音声出力による演出を行う一方で、音声出力によるエラーの報知を前記第１強度以上である第２強度で行うことを要旨とする。
【手続補正４】
【補正対象書類名】明細書
【補正対象項目名】０００９
【補正方法】変更
【補正の内容】
【０００９】
上記課題を解決する遊技機は、エラーを検出する検出手段と、発光が可能な発光装置を有する発光手段と、前記発光の最大強度を所定の範囲内で設定可能な強度設定手段と、を備え、発光の強度とは、前記発光装置が発光する際の光量であり、前記発光手段は、前記検出手段によりエラーが検出されたことを契機として発光によるエラーの報知を開始した場合であって、該エラーの報知の開始後においてエラーが検出されなくなったときには、報知継続時間に亘ってエラーの報知を継続した後にエラーの報知を終了するようになっており、前記エラーの報知に際しては、前記強度設定手段により設定された強度以上の強度で行うことを要旨とする。
上記課題を解決する遊技機は、エラーを検出する検出手段と、発光が可能な発光装置を有する発光手段と、を備え、発光の強度とは、前記発光装置が発光する際の光量であり、前記発光手段は、前記検出手段によりエラーが検出されたことを契機として発光によるエラーの報知を開始した場合であって、該エラーの報知の開始後においてエラーが検出されなくなったときには、報知継続時間に亘ってエラーの報知を継続した後にエラーの報知を終了するようになっており、第１強度を上限として発光による演出を行う一方で、発光によるエラーの報知を前記第１強度以上である第２強度で行うことを要旨とする。
上記遊技機について、前記演出における最大強度を所定の範囲内で設定可能な強度設定手段を備えたことが好ましい。
上記遊技機について、前記エラーの報知は、前記強度設定手段により設定可能な上限強度以上の強度で行われることが好ましい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
上記遊技機について、エラーの報知が可能な報知手段をさらに備え、前記報知手段は、前記検出手段によりエラーが検出されたことを契機としてエラーの報知を開始するようになっているとともに、該エラーの報知の開始後においてエラーが検出されなくなった場合であって、前記報知継続時間よりも長い時間に設定された最低報知時間が経過していないときには、前記報知継続時間が経過した後であっても、前記最低報知時間が経過するまでエラーの報知を継続することが好ましい。
【手続補正８】
【補正対象書類名】明細書
【補正対象項目名】００１３
【補正方法】削除
【補正の内容】